(57)【要約】      （修正有）【課題】幼児のお絵描きの学習に役立つ知育玩具のトレース台として、高価な導光板を用いずに安価で、しかも、軽量で持ち運びに便利なお絵描き台玩具を提供する。【解決手段】お絵描き台玩具１００は、樹脂製で軽量な筐体１０、９０と、筐体１０の表面でトレース台として硬質で頑丈な透明板２０と、透明板２０の下方に配置され、光錯乱構造を形成する乱反射透過板と、乱反射透過板の下方周縁の対向する二辺に配置され高輝度な光を発する光源である複数の発光ダイオードと、乱反射透過板の下方に配置され、発光ダイオードの光を上方に反射させるアルミシート等からなる反射板と、筐体９０内の電池室に装填可能な電池と、光源を点灯消灯させるスイッチ１５と、を備える。【選択図】図１
0003229700.tif 000002
【実用新案登録請求の範囲】
【請求項１】
樹脂製で軽量な筐体と、
前記筐体の表面でトレース台として硬質で頑丈な透明板と、
前記透明板の下方に配置され、光錯乱構造を形成する乱反射透過板と、
前記乱反射透過板の下方周縁の対向する二辺に配置され高輝度な光を発する光源である
複数の発光ダイオードと、
前記乱反射透過板の下方に配置され、当該発光ダイオードの光を上方に反射させる中央
を上方に高く突出させて湾曲面を形成するアルミシート等からなる反射板と、
前記筐体内の電池室に装填可能な電池と、
前記光源を点灯消灯させるスイッチと、
を備えることを特徴とするお絵描き台玩具。
【考案の詳細な説明】
【技術分野】
【０００１】
本考案は、幼児が絵などをトレースしてお絵描きの学習に役立つ知育玩具としてのトレ
ース台に関する。
【背景技術】
【０００２】
従来、幼児期の子供たちは、お絵描きの学習として、刊行物に描かれたキャラクター等
を真似て描くことがある。また、例えば、キャラクター等の書かれた原紙の上に用紙を置
いて、その用紙に写し絵を描く場合がある。このような作業をするときに、原紙の背後か
ら光をあてるトレース台があれば、写し絵を描くのに便利である。
【０００３】
下記に示す特許文献１には、高輝度、均一照射が可能で、軽量で携帯性に優れ、且つ原
紙載置板の透明部または半透明部上での均一輝度が得られるトレース台が開示されている
。
【先行技術文献】
【特許文献】
【０００４】
【特許文献１】特開２００５−１６９７０４号公報
【考案の概要】
【考案が解決しようとする課題】
【０００５】
しかしながら、特許文献１に示すトレース台は、高品質なトレース台であって、均一な
面発光を実現するために微細加工の光学系部材である拡散部材を用いる必要があり、高価
なものであった。
【０００６】
本考案は、上述したような従来技術の問題点に鑑みてなされたものであり、幼児のお絵
描きの学習に役立つ知育玩具のトレース台として、高価な拡散部材や導光板を用いずに安
価で、しかも、軽量で持ち運びに便利なお絵描き台玩具を提供することを目的とする。
【課題を解決するための手段】
【０００７】
本考案のお絵描き台玩具は、樹脂製で軽量な筐体と、前記筐体の表面でトレース台とし
て硬質で頑丈な透明板と、前記透明板の下方に配置され、光錯乱構造を形成する乱反射透
過板と、前記乱反射透過板の下方周縁の対向する二辺に配置され高輝度な光を発する光源
である複数の発光ダイオードと、前記乱反射透過板の下方に配置され、当該発光ダイオー
ドの光を上方に反射させる中央を上方に高く突出させて湾曲面を形成するアルミシート等
からなる反射板と、前記筐体内の電池室に装填可能な電池と、前記光源を点灯消灯させる
スイッチと、を備えることを特徴とする。
【０００８】
また、本考案のお絵描き台玩具は、前記乱反射透過板が少なくとも何れか一面を梨地処
理されてなることを特徴とする。
【０００９】
そして、本考案のお絵描き台玩具は、透明板の下方に乳白シートを備えることもある。
【００１０】
さらに、本考案のお絵描き台玩具は、前記発光ダイオードが白色光を発光させる光源で
あることを特徴とする。
【００１１】
そして、本考案のお絵描き台玩具は、前記筐体が長方形の板状であって、前記発光ダイ
オードは前記筐体内で当該筐体の長手方向に等間隔で複数配置させることを特徴とする。
【考案の効果】
【００１２】
本考案によれば、幼児のお絵描きの学習に役立つ知育玩具のトレース台として、高価な
導光板を用いずに安価で、しかも、軽量で持ち運びに便利なお絵描き台玩具を提供するこ
とができる。
【００１３】
さらに、本考案によれば、梨地処理による乱反射透過板を用いることによりトレース台
領域に均等な光を照射させるお絵描き台玩具とすることができる。
【００１４】
さらに、本考案によれば、透明板の下方に乳白シートを備えることにより、さらに光を
効果的に拡散させることができる。
【００１５】
また、本考案によれば、白色光を発光させる発光ダイオードを用いることにより、発光
寿命が長く、軽量なお絵描き台玩具とすることができる。
【００１６】
そして、本考案によれば、発光ダイオードを筐体の長手方向に等間隔で複数配置させる
ことにより、トレース台領域の色斑を軽減させることができる。
【図面の簡単な説明】
【００１７】
【図１】本考案の実施例に係るお絵描き台玩具の外観斜視図である。
【図２】本考案の実施例に係るお絵描き台玩具の分解斜視図である。
【図３】本考案の実施例に係るお絵描き台玩具の短手方向の断面図である。
【図４】本考案の実施例に係るお絵描き台玩具の長手方向の断面図である。
【考案を実施するための形態】
【００１８】
以下、本考案を実施するための形態について述べる。本考案のお絵描き台玩具100は、
樹脂製で軽量な筐体10と、筐体10の表面でトレース台として硬質で頑丈な透明板20と、透
明板20の下方に配置され、光錯乱構造を形成する乱反射透過板40と、乱反射透過板40の下
方周縁の対向する二辺に配置され、発光光を乱反射透過板の内部に射出するようにして高
輝度な光を発する光源である複数の発光ダイオード50と、を備える。
【００１９】
また、お絵描き台玩具100は、乱反射透過板40の下方に配置され、発光ダイオード50の
光を上方に反射させる中央を上方に突出させて湾曲面を形成するアルミシート等からなる
反射板60と、筐体内の電池室80に装填可能な電池と、光源を点灯消灯させるスイッチ15と
、を備える。
【００２０】
そして、乱反射透過板40は、少なくとも何れか一面を梨地処理されてなるものである。
ことが好ましい。
【００２１】
また、透明板20の下方に乳白シート30を備えることが好ましい。
【００２２】
そして、お絵描き台玩具100は、発光ダイオード50が白色光を発光させる光源である。
【００２３】
また、お絵描き台玩具100は、筐体10が長方形の板状であって、発光ダイオード50は筐
体内で筐体10の長手方向に等間隔で複数配置させるものである。
【実施例】
【００２４】
以下、本考案の実施例について図を用いて説明する。図１は、本考案の実施例に係るお
絵描き台玩具100の外観斜視図である。図２は、本考案の実施例に係るお絵描き台玩具100
の分解斜視図である。図３は、本考案の実施例に係る長方形のお絵描き台玩具100の短手
方向の内部を示す断面図である。図４は、本考案の実施例に係る長方形のお絵描き台玩具
100の長手方向の内部を示す断面図である。
【００２５】
お絵描き台玩具100は、図１に示すようにお絵描きの学習として、キャラクター等の書
かれた原紙を筐体10中央に位置する透明板20の上に置き、さらにその原紙の上に用紙を置
いて、その両方の紙をストッパ18,19で固定させ、その用紙に写し絵を描くときに、スイ
ッチ15を操作して照明を点灯させて原紙の背後から光を効果的に拡散させた面発光による
光をあてて、簡単に写し絵を描くためのトレース台である。
【００２６】
そして、お絵描き台玩具100は、幼児のお絵描きの学習に役立つ知育玩具のトレース台
として高価な導光板を用いずに安価であり、しかも、軽量で持ち運びに便利なものとして
構成されている。
【００２７】
お絵描き台玩具100は、図２に示すように、筐体10、90の内部に、透明板20、乳白シー
ト30、乱反射透過板40、発光ダイオード50、反射板60及び電池室80を備える。
【００２８】
筐体10、90は、軽量な硬質樹脂性で箱体を形成するものであって、上方にフレームを形
成する筐体10、下方に土台を形成する筐体90を備え、両者を挟むようにしてお絵描き台玩
具100を形成しており、内部に幾つかの照明部材を格納するものである。
【００２９】
透明板20は、厚さ５ｍｍ程の硬質で頑丈な透明樹脂であるアクリル材等からなる長方形
の板材であって、お絵描き台玩具100の用紙置き場として利用される。なお、透明板20は
、ガラス材であっても構わない。
【００３０】
乳白シート30は、透明板20と略同一サイズの乳白色の紙材であって、照明光を拡散させ
る働きを有する。なお、乳白シート30は、乱反射透過板40と同様で光をより拡散させて、
均一光とするものであって、使用しない場合とすることもある。
【００３１】
乱反射透過板40は、厚さ３ｍｍ程で、表裏面の内、少なくとも何れか一面を梨地処理さ
れて形成されている。なお、乱反射透過板40は、曇りガラスなどのガラス材、又はアクリ
ル等の透明樹脂を射出成形で形成し、表面処理により梨地処理を形成するものであっても
構わない。
【００３２】
さらに、乱反射透過板40は、透明樹脂に乳白材を混入させた半透明材として、形成する
ものであっても構わない。
【００３３】
発光ダイオード50は、お絵描き台玩具100の光源であって、基板上に等間隔で複数実装
されるチップタイプの高輝度な白色ＬＥＤからなり、お絵描き台玩具100の内部でお絵描
き台玩具100の長手方向の対向する二辺の夫々の周縁に配置させている。また、発光ダイ
オード50は、乱反射透過板40と反射板60との隙間の中間地点に位置するようにして光を照
射するように配置させている。
【００３４】
反射板60は、ガラス材又は金属材にアルミニウムを表面に蒸着させて形成したアルミシ
ート等からなるミラー材であって、発光ダイオード50の光を上方に反射させるように発光
ダイオード50を設けた二辺の中間線に沿った線状に中央を上方に突出させて両側に湾曲面
を形成している。そして、反射板60は、乱反射透過板40と合せて、発光ダイオード50の照
射光を効率良く面発光に変換させるものである。なお、透明板20、乳白シート30、及び乱
反射透過板40は、お絵描き台玩具100の厚み方向において、図示しない枠材等により重な
るように設置して密着するように配置されるものである。
【００３５】
電池室80は、お絵描き台玩具100に用いる電池の収納室であって、発光ダイオード50を
点灯させるための主電源となる単一電池、単二電池又は単三電池などの所定の汎用電池を
複数本、収納させるものである。
【００３６】
なお、お絵描き台玩具100は、収納された電池を主電源として、所定の回路により定電
流、定電圧を構成して、スイッチ15のＯＮＯＦＦ操作に基づいて、発光ダイオード50を点
灯消灯させる。
【００３７】
次に、お絵描き台玩具100において、面発光を可能とする内部の構造について図を用い
て説明する。図３は、本考案の実施例に係るお絵描き台玩具100の短手方向の断面図であ
る。図４は、本考案の実施例に係るお絵描き台玩具100の長手方向の断面図である。
【００３８】
お絵描き台玩具100は、図３に示すように発光ダイオード50を乱反射透過板40と反射板6
0との間に配置させ、反射板60と乱反射透過板40を組み合わせることで面発光を可能とし
ている。
【００３９】
具体的には、発光ダイオード50の射出光を中央が隆起するように湾曲した反射板60の左
右から夫々入射させることにより、光が反射板60によって上方に反射され、乱反射透過板
40に入射され、さらに乳白シート30により輝点が曇りガラス効果で拡散されて面発光の有
効光に変換される。そして、さらに乱反射透過板40の何れかの面の梨地処理により光を拡
散させている。
【００４０】
なお、乱反射透過板40の梨地処理は、乱反射透過板40の両面、又は何れかの面の梨地加
工されてあればよく、乳白シート30を上方に配置させる場合には、下方の面に梨地処理を
施すほうが効果的である。
【００４１】
また、図４に示すように、発光ダイオード50は、筐体90内部の長手方向において、夫々
等間隔に配置されているものである。
【００４２】
なお、発光ダイオード50は、長手方向で等間隔で密集するように配置すれば、トレース
台領域の照明光を均一光とすることができる。
【００４３】
以上のように本考案によれば、幼児のお絵描きの学習に役立つ知育玩具のトレース台と
して高価な導光板を用いずに安価であり、しかも、軽量で持ち運びに便利なお絵描き台玩
具100を提供することができる。
【００４４】
さらに、本考案によれば、梨地処理による乱反射透過板40を用いることによりトレース
台領域に均等な光を照射させるお絵描き台玩具100とすることができる。
【００４５】
さらに、本考案によれば、透明板20の下方に乳白シート30を備えることにより、さらに
光を効果的に拡散させることができる。
【００４６】
また、本考案によれば、白色光を発光させる発光ダイオード50を用いることにより、発
光寿命が長く、軽量なお絵描き台玩具100とすることができる。
【００４７】
そして、本考案によれば、発光ダイオード50を筐体10の長手方向に等間隔で複数配置さ
せることにより、トレース台領域の色斑を軽減させることができる。
【符号の説明】
【００４８】
10  筐体                            15  スイッチ
18  ストッパ                        19  ストッパ
20  透明板
30  乳白シート                      40  乱反射透過板
50  発光ダイオード
60  反射板                          80  電池室
90  筐体
100 お絵描き台玩具
【図１】
0003229700.tif 000003
【図２】
0003229700.tif 000004
【図３】
0003229700.tif 000005
【図４】
0003229700.tif 000006